(57)【要約】【課題】ランニングコストを安価にできしかも簡易な操作で、鏡本体の防曇効果が得られると共に、装置全体のコンパクト化を達成でき、さらに外観性及び施工性の向上を図る。【解決手段】浴室内に配置される鏡本体８と該鏡本体８の鏡面８ａと反対側の裏面８ｂに密着して配置される給湯配管９とで構成される防曇鏡１を、湯と水の混合水を吐出する混合水栓２に一体に設けた防曇鏡付き混合水栓装置である。給湯配管９の一端に給湯源に接続される接続入口部１０を設けると共に他端に接続出口部１１を設ける。該接続出口部１１を混合水栓２の湯入口部４に接続することで、給湯源からの湯を給湯配管９内部を経由して混合水栓２の湯入口部４に供給するようにした。【選択図】図１
2010227272.tif 000002
【特許請求の範囲】
【請求項１】
浴室内に配置される鏡本体と該鏡本体の鏡面と反対側の裏面に密着して配置される給湯配管とで構成される防曇鏡を、湯と水の混合水を吐出する混合水栓に一体に設けた防曇鏡付き混合水栓装置であって、前記給湯配管の一端に給湯源に接続される接続入口部を設けると共に他端に接続出口部を設け、該接続出口部を前記混合水栓の湯入口部に接続することで、給湯源からの湯を前記給湯配管内部を経由して前記混合水栓の湯入口部に供給するようにしたことを特徴とする防曇鏡付き混合水栓装置。
【請求項２】
前記鏡本体を前記混合水栓の上方に離間して配置し、給湯配管の両端部から混合水栓の湯入口部の近傍位置に向かってそれぞれ長く延びる２本の配管延長部を並列状に配置すると共に、一方の配管延長部の下端部に接続入口部、他方の配管延長部の下端部に接続出口部をそれぞれ設けたことを特徴とする請求項１記載の防曇鏡付き混合水栓装置。
【発明の詳細な説明】
【技術分野】
【０００１】
本発明は、防曇鏡を混合水栓に取り付けた防曇鏡付き混合水栓装置に関し、詳しくは給湯源から混合水栓に供給される湯の熱を利用して防曇鏡の曇り止め機能を発揮させる技術に関するものである。
【背景技術】
【０００２】
浴室の壁面に設置される化粧用の鏡は、入浴中に充満した水蒸気によって鏡面が曇ってしまうため、さまざまな曇り止め対策が施されている。
【０００３】
従来から、図７に示される浴室７の鏡３１の裏面側にニクロム線等の電熱線（図示せず）を配置することによって、電熱加熱によって鏡３１を高温に保つようにした電気ヒータ式鏡が知られている（例えば、特許文献１参照）。
【０００４】
他の従来例として、図８に示すように、鏡３１の表面全面に親水性剤３２をコーティングし、使用時には水をかけて水膜３３を形成することで浴室７内の水蒸気による曇りをなくすようにした鏡構造が知られている（例えば、特許文献２参照）。
【先行技術文献】
【特許文献】
【０００５】
【特許文献１】特開平１０−５７２０８号公報
【特許文献２】特開２０００−２６２３６８号公報
【発明の概要】
【発明が解決しようとする課題】
【０００６】
ところが、前記特許文献１における電気ヒータ式鏡では、熱エネルギーとして一番高価な電気を使用することとなるため、１日２時間使用すると１００〜２００円／月程度となり、ランニングコストが高くなり、しかも鏡を使用しないときは、こまめに電源を切らなければ電気代が無駄になり、切り忘れによる過熱断線のおそれもあり、そのうえ鏡の施工工事とは別に電気工事が必要となるという課題もある。
【０００７】
また前記特許文献２における親水性剤をコーティングした鏡では、使用するたびに表面に水をかけて曇りを消す行為が面倒であり、しかも親水性剤のコーティングは経年劣化し（７〜１０年程度）、さらにコーティングの表面に汚れが着いた場合は、防曇効果が失われるという課題もある。
【０００８】
本発明は前記の従来の問題点に鑑みて発明したものであって、その目的とするところは、ランニングコストを安価にできしかも簡易な操作で、鏡本体の防曇効果が得られると共に、装置全体のコンパクト化を達成でき、さらに外観性及び施工性の向上を図ることができる防曇鏡付き混合水栓装置を提供することにある。
【課題を解決するための手段】
【０００９】
前記の課題を解決するために、本発明は、浴室内に配置される鏡本体８と該鏡本体８の鏡面８ａと反対側の裏面８ｂに密着して配置される給湯配管９とで構成される防曇鏡１を、湯と水の混合水を吐出する混合水栓２に一体に設けた防曇鏡付き混合水栓装置である。前記給湯配管９の一端に給湯源に接続される接続入口部１０を設けると共に他端に接続出口部１１を設ける。該接続出口部１１を前記混合水栓２の湯入口部４に接続することで、給湯源からの湯を前記給湯配管９内部を経由して前記混合水栓２の湯入口部４に供給するようにしたことを特徴としている。
【００１０】
このような構成とすることで、入浴時に混合水栓２を開栓すると、給湯源からの湯が給湯配管９内を通って混合水栓２に供給され、混合水栓２内で水と混合されて湯水混合水として使用できる。このとき給湯配管９は鏡本体８の裏面８ｂに密着して配置されているので、給湯配管９の熱によって鏡面８ａ側が昇温して防曇効果が得られる。また混合水栓２の止栓によって給湯配管９への給湯が停止された後も、給湯配管９内部に残った湯によって防曇効果が長く持続される。
【００１１】
また、前記鏡本体８を混合水栓２の上方に離間して配置し、給湯配管９の両端部から混合水栓２の湯入口部４の近傍位置に向かってそれぞれ長く延びる２本の配管延長部１２ａ,１２ｂを並列状に配置すると共に、一方の配管延長部１２ａの下端部に接続入口部１０、他方の配管延長部１２ｂの下端部に接続出口部１１をそれぞれ設けるのが好ましく、この場合、２本の配管延長部１２ａ,１２ｂによって混合水栓２の湯入口部４近傍位置に給湯配管９の接続入口部１０と接続出口部１１とをそれぞれ配置でき、接続入口部１０と給湯源との配管接続、接続出口部１１と混合水栓２との配管接続を１箇所でまとめて効率よくできるようになり、しかも２本の配管延長部１２ａ,１２ｂを並列配置することで、これら配管延長部１２ａ,１２ｂがほぼ１本状の外観となり、鏡本体８と混合水栓２との間の隙間から２本の配管延長部１２ａ,１２ｂがまとまりの良い状態で露出するようになる。
【発明の効果】
【００１２】
本発明は、混合水栓の開栓時に混合水栓に供給される給湯源からの湯を利用して鏡本体の鏡面の防曇効果が得られると共に、給湯による防曇機能の開始は混合水栓の開閉操作に委ねられるので、ランニングコストを安価にできると共に使い易くなる。しかも、防曇鏡と混合水栓とを一体型としたことにより、現場では混合水栓の水入口部に水道管を接続し、給湯配管の接続入口部に給湯源を接続するだけでよく、施工作業がはかどると共に、装置全体のコンパクト化及び外観の向上を達成できるものである。
【図面の簡単な説明】
【００１３】
【図１】本発明の第１の実施形態の防曇鏡付き混合水栓装置を示し、（ａ）は斜視図、（ｂ）は概略配管図である。
【図２】同上の防曇鏡の一部を破断した斜視図である。
【図３】（ａ）は同上の給湯配管が扁平配管である場合の説明図、（ｂ）は丸形配管である場合の説明図である。
【図４】本発明の第２の実施形態の説明図である。
【図５】図４の変形例の説明図である。
【図６】本発明の第３の実施形態の説明図である。
【図７】従来の浴室内に設置される鏡と混合水栓の説明図である。
【図８】従来の親水性剤をコーティングした防曇鏡の説明図である。
【発明を実施するための形態】
【００１４】
以下、本発明を添付図面に示す実施形態に基いて説明する。
【００１５】
図１（ａ）は、本発明の第１の実施形態であり、防曇鏡１を混合水栓２から一体に突設させた混合水栓装置３の一例を示している。図中の３０は防曇鏡１を壁面に係止する係止金具である。
【００１６】
混合水栓２は、内部に混合弁室（図示せず）が形成される混合管２ａを備えると共に、図１（ｂ）に示すように、混合管２ａの外部には、混合弁室にそれぞれ連通する湯入口部４、水入口部５、混合水出口部６が設けられ、さらに混合管２ａの両端側に、湯と水の混合割合を調整する給湯栓１４、給水栓１５が設けられている。
【００１７】
防曇鏡１は、浴室７の壁パネル７ａに設置される化粧用の鏡本体８と、鏡本体８の裏面８ｂに密着して配置される給湯配管９とで主体が構成されている。
【００１８】
給湯配管９は、放熱性のよいアルミ製などの金属からなり、図１（ａ）に示す例では、横方向に間隔をあけて蛇行状に折れ曲げられている。なお後述する図４〜図６のように上下方向に間隔をあけて蛇行状に折り曲げたものでもよい。
【００１９】
給湯配管９の一端には、給湯源である給湯器からの１次側給湯管１６に接続される接続入口部１０が設けられ、給湯配管９の他端には、混合水栓２の湯入口部４に接続される接続出口部１１が設けられている。本例では給湯配管９の接続入口部１０と接続出口部１１とが、鏡本体８の下端８ｄ側において互いに近接して配置されている。
【００２０】
また本例の給湯配管９は、図２、図３（ａ）に示すように、断面が扁平な扁平配管９ａで構成され、ストレート部９ｃと折り曲げ部９ｄとに分かれており、折り曲げ部９ｄを一対のＬ字形扁平配管９ｅで構成している。なお、給湯配管９は扁平配管９ａに限らず、図３（ｂ）に示す円形断面の丸形配管９ｂであってもよい。
【００２１】
さらに給湯配管９の背後は保温材１７（図２）にて覆われる。保温材１７は、給湯配管９全体を覆うことができる大きさを有するシート状物で形成されており、給湯配管９の熱が背後へ逃げるのを防ぐ働きをする。
【００２２】
しかして、入浴時に混合水栓２の給湯栓１４を開栓すると、１次側給湯管１６からの湯が給湯配管９の接続入口部１０から流入し、給湯配管９内部を循環して接続出口部１１から混合水栓２の湯入口部４に流入する。給水栓１５を開いて水道管からの水と混合させることで、適温の湯水混合水となって混合水吐出口１６から吐出する。このとき鏡本体８の裏面８ｂに密着配置した給湯配管９内を通過する湯の熱によって、鏡本体８の鏡面８ａ側が昇温して水滴蒸発原理により曇り止めされるようになる。その後、給湯栓１４を止栓すると給湯配管９内への給湯は停止されるが、給湯配管９内部に残った湯によって防曇効果が長く持続される。従って、従来の電気ヒーター式と比較してランニングコストを安価にできると共に、給湯による防曇機能が混合水栓２の開栓操作に委ねられるので、防曇のための特別の操作を別途行う必要がなく、湯の止め忘れもなく、使用性が良好となる。
【００２３】
しかも、本例では給湯配管９の背後から覆うようにシート状の保温材１７を配設しているので、給湯配管９の熱が背後へ逃げることがなく、従って、給湯停止後も保温材１７によって給湯配管９内の湯温低下を抑えることができるので、冬場であっても長時間に亘って防曇効果を持続できるようになる。そのうえ給湯配管９を扁平配管９ａで構成することで、防曇鏡１全体の奥行き寸法を少なくできると共に、鏡本体８の裏面８ｂに広い面積で密着させることができ、鏡面８ａ全体をまんべんなく昇温させることができ、防曇効果をより高めることができる。
【００２４】
一方、施工にあたっては、予め工場で、鏡本体８の給湯配管９と混合水栓２の湯入口部４とを接続して、防曇鏡１と混合水栓２との一体部品として出荷する。これにより現場では混合水栓２の水入口部５に水道管１８を接続し、給湯配管９の接続入口部１０に１次側給湯管１６を接続するだけで済む。しかも給湯配管９の接続入口部１０と混合水栓２の水入口部５とが互いに近接配置されているため、１次側給湯管１６と給湯配管９、水道管１８と混合水栓２のそれぞれの配管接続を１箇所で効率良く行うことができ、配管作業がはかどるうえに、防曇鏡１と混合水栓２との一体化により装置全体のコンパクト化及び省スペース化を達成でき、そのうえ給湯配管９は外部に露出しないため、スッキリとした一体感のある外観で施工できるようになる。
【００２５】
図４及び図５は本発明の第２の実施形態である。図４の例では防曇鏡１を混合水栓２の上方に離間して配置し、鏡本体８の上端８ｃ側に給湯配管９の接続入口部１０を配置し、鏡本体８の下端８ｄ側に給湯配管９の接続出口部１１を配置し、この接続出口部１１を配管接続部１３を介して混合水栓２の湯入口部４に接続している。他の構成は第１の実施形態と同様である。
【００２６】
図５の例は、基本的に図４と共通している。図５の例では鏡本体８の裏面８ｂに、給湯配管９を収納保持する枠体２０を配置している。枠体２０は、上枠２０ａと下枠２０ｂと左右の側枠２０ｃ,２０ｃと背板２０ｄとからなり、前方（鏡本体８の裏面８ｂ側）に向けて開放されている。枠体２０内部には給湯配管９が上下方向に間隔をあけて蛇行状に配管されており、枠体２０の下枠２０ｂの下端面給湯配管９の接続出口部１１が突設され、枠体２０の上枠２０ａの上端面から給湯配管９の接続入口部１０が突設されている。この枠体２０を壁パネル７ａに設けた開口部２１に嵌め込んだ状態で、給湯配管９の接続入口部１０に１次側給湯管１６を接続し、給湯配管９の接続出口部１１を配管接続部１３を用いて混合水栓２の湯入口部４に接続する。またこの状態で鏡本体８を開口部２１周囲の壁パネル７ａに係止することで、枠体２０内の給湯配管９が鏡本体８の裏面８ｂに密着するようになっている。
【００２７】
しかして、前記図４、図５の各実施形態においては、前記第１の実施形態と同様、給湯配管９による防曇効果が得られ、そのうえ、鏡本体８の上端８ｃ側に給湯配管９の接続入口部１０を配置し、下端８ｄ側に給湯配管９の接続出口部１１を配置したので、鏡本体８の上端８ｃ側から下端８ｄ側に亘って湯の流れ落ちる方向（重力方向）に沿って給湯配管９を配置することで、流路抵抗の小さい配管構造を実現できるものであり、さらに鏡本体８を混合水栓２から離すことにより、鏡本体８の高さ位置の変更に容易に対処できる構造となる。また図４においては鏡本体８を混合水栓２の上方に離間させた場合でも、鏡本体８と混合水栓２との間の隙間から１本の配管接続部１３だけが外部に露出するだけとなり、外観を良好に保つことができる。一方、図５においては、壁パネル７ａの裏側にて、給湯配管９と１次側給湯管１６との接続、配管接続部１３による給湯配管９と混合水栓２との接続をそれぞれ行うことが可能となり、これにより各配管接続部分や配管接続部１３が浴室７内部に露出しなくなり、外観が一層良好となる。
【００２８】
図６は第３の実施形態であり、鏡本体８を混合水栓２の上方に離間して配置し、給湯配管９の両端部から混合水栓２の湯入口部４の近傍位置に向かってそれぞれ長く延びる２本の配管延長部１２ａ,１２ｂを並列状に配置すると共に、一方の配管延長部１２ａの下端部に接続入口部１０、他方の配管延長部１２ｂの下端部に接続出口部１１をそれぞれ設けたものである。他の構成は、第１の実施形態と同様である。しかして、前記実施形態と同様、給湯配管９による防曇効果、鏡本体８の高さ位置の変更に容易に対処できる効果等が得られる。そのうえ本例では、２本の配管延長部１２ａ,１２ｂによって混合水栓２の湯入口部４近傍位置に給湯配管９の接続入口部１０と接続出口部１１とを配置できるので、給湯源と接続入口部１０との接続、接続出口部１１と混合水栓２との接続を１箇所でまとめて効率よく行うことができる利点があり、さらに２本の配管延長部１２ａ,１２ｂを並列配置することで、これら配管延長部１２ａ,１２ｂがほぼ１本状の外観となり、鏡本体８と混合水栓２との間の隙間から配管延長部１２ａ,１２ｂをまとまりの良い状態で露出させることができる利点もある。
【産業上の利用可能性】
【００２９】
本発明の防曇鏡付き混合水栓装置は、浴室の壁面以外に、洗面室に配置されるミラーキャビネットの洗面台等にも広く実施できるものである。
【符号の説明】
【００３０】
１  防曇鏡
２  混合水栓
３  混合水栓装置
４  接続入口部
５  水入口部
６  混合水出口部
７  浴室
８  鏡本体
８ａ  鏡面
８ｂ  裏面
８ｃ  上端
８ｄ  下端
９  給湯配管
１０  接続入口部
１１  接続出口部
１２ａ,１２ｂ  配管延長部
【図１】
2010227272.tif 000003
【図２】
2010227272.tif 000004
【図３】
2010227272.tif 000005
【図４】
2010227272.tif 000006
【図５】
2010227272.tif 000007
【図６】
2010227272.tif 000008
【図７】
2010227272.tif 000009
【図８】
2010227272.tif 000010